(57)【要約】【課題】本考案は、簡略な構成でありながら嵩ばることがなく、ピン抜き取り時の作業性が良好であり、しかも、小寸法のピン抜き取り及び大寸法のピン抜き取りをはじめとする各種態様のピンの抜き取りに容易に対応できるピン抜き工具を提供する。【解決手段】本考案のピン抜き工具２０は、一端側に小寸法のピンに当接させる小寸法の矩形端面３ａを有するピン当接部４を形成し、他端側の端面５ａに膨出球面状を呈する叩打部５を形成して本体部分が取手を兼ねる第１ピン抜き部１と、一端側に大寸法のピンに当接させる矩形棒状で大寸法の矩形端面１２ａを有するピン当接部１２を形成し、他端側の端面１３ａに膨出球面状を呈する叩打部１３を形成した第２ピン抜き部１１と、を十字状に交差連結したものである。【選択図】図１
0003139903.tif 000002
【実用新案登録請求の範囲】
【請求項１】
バックホウ等のバケットを有する建設機械に取り付けるツース盤等に挿押されているピンを抜き取る場合に用いて好適なピン抜き工具であり、
一端側に抜き取り対象である小寸法のピンに当接させるピン当接部を形成し、他端側端面に叩打部を形成して本体部分が取手を兼ねる第１ピン抜き部と、
一端側に抜き取り対象である大寸法のピンに当接させるピン当接部を形成し、他端側端面に叩打部を形成した第２ピン抜き部と、
を十字状に交差連結したことを特徴とし、簡略構成で、嵩ばることがなく、ピン抜き取り時の作業性が良好で、しかも、小寸法のピン抜き取り及び大寸法のピン抜き取りをはじめとする各種態様のピンの抜き取りに容易に対応できることを特徴とするピン抜き工具。
【請求項２】
バックホウ等のバケットを有する建設機械に取り付けるツース盤等に挿押されているピンを抜き取る場合に用いて好適なピン抜き工具であり、
一端側に抜き取り対象である小寸法のピンに当接させる小寸法の矩形端面を有するピン当接部を形成し、他端側端面に膨出球面状を呈する叩打部を形成して本体部分が取手を兼ねる第１ピン抜き部と、
一端側に抜き取り対象である大寸法のピンに当接させる矩形棒状で大寸法の矩形端面を有するピン当接部を形成し、他端側端面に膨出球面状を呈する叩打部を形成した第２ピン抜き部と、
を十字状に交差連結したことを特徴とし、簡略構成で、嵩ばることがなく、ピン抜き取り時の作業性が良好で、しかも、小寸法のピン抜き取り及び大寸法のピン抜き取りをはじめとする各種態様のピンの抜き取りに容易に対応できることを特徴とするピン抜き工具。
【請求項３】
バックホウ等のバケットを有する建設機械に取り付けるツース盤等に挿押されているピンを抜き取る場合に用いて好適なピン抜き工具であり、
一端側に丸棒状部と矩形棒状部とが連続形成されるとともに、小寸法の抜き取り対象であるピンに当接させる小寸法の矩形端面を有するピン当接部とし、他端側端面に膨出球面状を呈する叩打部を形成して本体部分が取手を兼ねる全長が長い第１ピン抜き部と、
一端側に抜き取り対象である大寸法のピンに当接させる大寸法の矩形端面を有する矩形棒状のピン当接部を形成し、他端側端面に膨出球面状を呈する叩打部を形成した全長が短い第２ピン抜き部と、
を前記両叩打部が交差部分から等寸法に各々突出する十字状に交差連結したことを特徴とし、簡略構成で、嵩ばることがなく、ピン抜き取り時の作業性が良好で、しかも、小寸法のピン抜き取り及び大寸法のピン抜き取りをはじめとする各種態様のピンの抜き取りに容易に対応できることを特徴とするピン抜き工具。
【考案の詳細な説明】
【技術分野】
【０００１】
本考案は、ピン抜き工具に関し、詳しくは、例えば、バックホウ等のバケットを有する建設機械に取り付けるツース盤等に挿押されているピンを抜き取る場合に用いて好適なピン抜き工具に関するものである。
【背景技術】
【０００２】
例えば、地面の掘削等を行うバックホウ等の建設機械においては、バケットに対してピンを介してツース盤を取り付け、必要に応じてピンを抜き取りツース盤の交換を行っている。
【０００３】
このようなバケット、ツース盤間に介在させるピンの抜き取り作業時に使用するピン抜き工具として、従来、例えば図８に示すようなピン抜き工具６０が知られている。
【０００４】
同図に示すピン抜き工具６０は、全長が長い小寸法のピン抜き取り用の第１ピン抜き部６１と、全長が短い大寸法のピン抜き取り用の第２ピン抜き部６２とを十字状に交差連結するとともに、その連結部分に、前記第１ピン抜き部６１よりも更に長い把持用の取手６３を前記第１ピン抜き部６１、第２ピン抜き部６２双方に直交する配置に溶接等で連結し、全体として三又式に構成したものである。
【０００５】
この従来のピン抜き工具６０の場合、小寸法のピン抜き取り及び大寸法のピン抜き取りの２態様で使用できるものの、前記第１ピン抜き部６１よりも更に長い取手６３を具備する三又構造であることから、全体として嵩ばり、保管、運搬時等に煩雑さを伴うものであった。
【０００６】
特許文献１には、後記する本考案に係るバケットに取り付けられたツース盤を着脱する際の当該ツース盤を固定しているピンを抜くための用具ではないが、この種に属する用具として、バケット自体を留めるピン抜き器として、固定器をバケットに固定し、バケットに取り付けた押しピンを、ボルト、ナットによるネジ力で押し出してバケット側のバケットピンを抜き出すように構成したバケットピン抜き器が提案されている。
【０００７】
バケットに取り付けられたツース盤を固定しているピンを抜くための用具自体の構造ではないが、この特許文献１のバケットピン抜き器の場合、バケットに対する固定器の取り付け、ナットの捻回による押しピンの押し出しという煩雑な作業を必要とし、作業効率が良好ではない。
【特許文献１】特開２００４−３０８３８６号公報
【考案の開示】
【考案が解決しようとする課題】
【０００８】
本考案が解決しようとする問題点は、簡略な構成でありながら嵩ばることがなく、ピン抜き取り時の作業性が良好であり、しかも、小寸法のピン抜き取り及び大寸法のピン抜き取りをはじめとする各種態様のピンの抜き取りに容易に対応できるピン抜き工具が存在しない点である。
【課題を解決するための手段】
【０００９】
本考案のピン抜き工具は、一端側に抜き取り対象である小寸法のピンに当接させるピン当接部を形成し、他端側端面に叩打部を形成して本体部分が取手を兼ねる第１ピン抜き部と、一端側に抜き取り対象である大寸法のピンに当接させるピン当接部を形成し、他端側端面に叩打部を形成した第２ピン抜き部と、を十字状に交差連結したことを最も主要な特徴とする。
【考案の効果】
【００１０】
請求項１記載の考案によれば、第１ピン抜き部と、第２ピン抜き部とを十字状に交差連結した構成としているので、従来例の三又式のピン抜き工具に比べ全体構成が平坦化して簡略となり、かつ、嵩ばることがなく、保管や運搬に極めて便利であり、第１ピン抜き部１、第２ピン抜き部１１を使い分けることにより、小寸法のピン抜き取り及び大寸法のピン抜き取りをはじめとする各種態様のピンの抜き取りに容易に対応でき、ピン抜き作業時に作業者が自身の手を殴打する危険性を無くすことができる斬新なピン抜き工具を提供できる。
【００１１】
請求項２記載の考案によれば、第１ピン抜き部に小寸法の矩形端面を有するピン当接部、膨出球面状を呈する叩打部を形成し、第２ピン抜き部に大寸法の矩形端面を有するピン当接部、膨出球面状を呈する叩打部を形成した構成で、前記請求項１記載の考案と同様な効果を奏するピン抜き工具を提供できる。
【００１２】
請求項３記載の考案によれば、前記請求項２記載の考案の効果に加え、第１ピン抜き部１、第２ピン抜き部１１を使い分ける際において、同等の叩打感覚を持って各叩打部を叩打することができ、ピン抜き取り時の作業性が良好になるという効果をも奏するピン抜き工具を提供できる。
【考案を実施するための最良の形態】
【００１３】
本考案は、簡略な構成でありながら嵩ばることがなく、ピン抜き取り時の作業性が良好であり、しかも、小寸法のピン抜き取り及び大寸法のピン抜き取りをはじめとする各種態様のピンの抜き取りに容易に対応できるピン抜き工具を提供するという目的を、一端側に抜き取り対象である小寸法のピンに当接させる小寸法の矩形端面を有するピン当接部を形成し、他端側端面に膨出球面状を呈する叩打部を形成して本体部分が取手を兼ねる第１ピン抜き部と、一端側に抜き取り対象である大寸法のピンに当接させる矩形棒状で大寸法の矩形端面を有するピン当接部を形成し、他端側端面に膨出球面状を呈する叩打部を形成した第２ピン抜き部と、を十字状に交差連結した構成により実現した。
【実施例】
【００１４】
以下に、本考案の実施例に係るピン抜き工具について、各図面を参照して詳細に説明する。
本実施例に係るピン抜き工具２０は、図１乃至図５に示すように、全長Ｌ１が長い第１ピン抜き部１と、全長Ｌ２が短い第２ピン抜き部１１とを、例えば成型加工により十字状に交差連結した構成としている。
【００１５】
前記第１ピン抜き部１は、一端側が丸棒状部２と矩形棒状部３とが連続したピン当接部４からなり、矩形棒状部３の小寸法の矩形端面３ａを抜き取り対象であるピン（詳細は後述する）に当接させるとともに、他端側の端面５ａに膨出球面状を呈する叩打部５を形成して、第１ピン抜き部１自体の本体部分が把持用の取手を兼ねる構成としている。
【００１６】
前記第２ピン抜き部１１は、一端側に抜き取り対象である大寸法のピン（詳細は後述する）に当接させる前記矩形端面３ａよりも大寸法の矩形端面１２ａを有する矩形棒状のピン当接部１２を具備し、他端側の端面１３ａに膨出球面状を呈する叩打部１３を形成した構成としている。
【００１７】
前記叩打部５、叩打部１３は、図１に示すように、前記第１ピン抜き部１、第２ピン抜き部１１の交差部分中央部Ｏから各々等寸法で外方に突出する構成としている。
【００１８】
すなわち、本実施例に係るピン抜き工具２０は、前記第１ピン抜き部１、前記第２ピン抜き部１１の夫々の部分を使用してピン抜き作業を行うときには、第１ピン抜き部１自体の本体部分が把持用の取手として機能するように構成している。
【００１９】
次に、本実施例に係るピン抜き工具２０の具体的使用例について、図６、図７を参照し説明する。
【００２０】
本実施例に係るピン抜き工具２０において、作業者が前記第１ピン抜き部１を使用して、図６に示すように、例えばツース盤４０のピン穴に挿押した小寸法のピン４１の抜き取りを行う場合には、右手５１（左利きの場合は逆になる）にハンマー５０を持ち、左手５２（左利きの場合は逆になる）で第１ピン抜き部１の本体部分を把持し、前記第１ピン抜き部１における小寸法の矩形端面３ａを前記ツース盤４０のピン４１上端に当接させ、この状態で前記ハンマー５０により前記第１ピン抜き部１における叩打部５を叩打する。
【００２１】
これにより、作業者は、自身の左手５２（ピン抜き工具を保持する方の手）を殴打する危険性を感じることなく、前記ツース盤４０のピン穴に挿押した小寸法のピン４１を簡略に最後まで抜き取ることができる。
【００２２】
他方、作業者が前記第２ピン抜き部１１を使用して、図７に示すように、前記ツース盤４０よりも大寸法のツース盤４０Ａのピン穴に挿押した大寸法のピン４１Ａの抜き取りを行う場合には、右手５１（左利きの場合は逆になる）にハンマー５０を持ち、左手５２（左利きの場合は逆になる）で第１ピン抜き部１の本体部分に該当する矩形棒状部３を把持し、前記第２ピン抜き部１１における大寸法の矩形端面１２ａを前記ツース盤４０Ａのピン４１Ａ上端に当接させ、この状態で前記ハンマー５０により前記第２ピン抜き部１１における叩打部１３を叩打する。その後、ピン４１Ａが緩んだら、第１ピン抜き部１を用いて、ピン４１Ａが完全に抜けるまで、前記第２ピン抜き部１１における叩打部１３を殴打する。
【００２３】
これにより、作業者は、自身の左手５２を殴打する危険性を感じることなく、前記ツース盤４０Ａのピン穴に挿押した大寸法のピン４１Ａを簡略に最後まで抜き取ることができる。
【００２４】
上述した本実施例に係るピン抜き工具２０によれば、全長Ｌ１が長い第１ピン抜き部１と、全長Ｌ２が短い第２ピン抜き部１１とを、十字状に交差連結した構成としているので、従来例の三又式のピン抜き工具６０に比べ全体構成が平坦化して簡略となり、かつ、嵩ばることがなく、保管や運搬に極めて便利である。
【００２５】
また、前記第１ピン抜き部１、第２ピン抜き部１１を使い分けることにより、小寸法のピン抜き取り及び大寸法のピン抜き取りをはじめとする各種態様のピンの抜き取りに容易に対応できる。
【００２６】
更に、前記第１ピン抜き部１の本体部分が把持用の取手として機能するように構成しているので、作業者は、自身の左手５２（ピン抜き工具を保持する方の手）を殴打する危険性を感じることなくピン抜き作業を実行できる。
更に、前記叩打部５、叩打部１３が、前記第１ピン抜き部１、第２ピン抜き部１１の交差部分中央部Ｏから各々等寸法で外方に突出しているので、前記第１ピン抜き部１の本体部分を把持しつつ同等の叩打感覚を持って前記叩打部５又は前記叩打部１３を叩打することができ、ピン抜き取り時の作業性が良好となる。
【００２７】
なお、上述した実施例では、前記第１ピン抜き部１、第２ピン抜き部１１に各々矩形端面３ａ、１２ａを有するピン当接部４、１２を設けた場合について説明したが、ピン当接部４、１２の各端面の形状は矩形状に限定されるものではなく、円形状、楕円形状等種々の変形が可能である。
【産業上の利用可能性】
【００２８】
本考案のピン抜き工具は、各種工作機械や自動車等の機構部分のようにピンの挿押或いは装着、抜き取りが必要な種々の部位に対して広範に適用可能である。
【図面の簡単な説明】
【００２９】
【図１】本考案の実施例に係るピン抜き工具の正面図である。
【図２】本実施例に係るピン抜き工具の平面図である。
【図３】本実施例に係るピン抜き工具の底面図である。
【図４】本実施例に係るピン抜き工具の左側面図である。
【図５】本実施例に係るピン抜き工具の右側面図である。
【図６】本実施例に係るピン抜き工具の使用状態の一例を示す斜視図である。
【図７】本実施例に係るピン抜き工具の使用状態の他例を示す斜視図である。
【図８】従来のピン抜き工具の一例を示す斜視図である。
【符号の説明】
【００３０】
１    第１ピン抜き部
２    丸棒状部
３    矩形棒状部
３ａ  矩形端面
４    ピン当接部
５    叩打部
５ａ  端面
１１    第２ピン抜き部
１２    ピン当接部
１２ａ  矩形端面
１３    叩打部
１３ａ  端面
２０    ピン抜き工具
４０    ツース盤
４０Ａ  ツース盤
４１    ピン
４１Ａ  ピン
５０    ハンマー
５１    右手（左利きの場合は逆になる）
５２    左手（左利きの場合は逆になる）
Ｏ    交差部分中央部
【図１】
0003139903.tif 000003
【図２】
0003139903.tif 000004
【図３】
0003139903.tif 000005
【図４】
0003139903.tif 000006
【図５】
0003139903.tif 000007
【図６】
0003139903.tif 000008
【図７】
0003139903.tif 000009
【図８】
0003139903.tif 000010